(57)【特許請求の範囲】
【請求項１】
定められた軌道に沿って回動する回動体と、該回動体を回動させる駆動機構と、該駆動機構を制御することにより前記回動体を回動および停止させる駆動制御手段とを備え、前記回動体に設けられた画像を表示する遊技機の表示装置において、
前記回動体にストロボ光を照射するストロボ光源と、
該回動体に設けられて該ストロボ光の照射によって視認可能となる隠図形と、  前記隠図形が前記軌道上の設定された位置になるのに同期させて前記ストロボ光源を発光させる発光制御手段と
を具備し、
前記隠図形は１つのまとまりのある画像を複数の構成要素に分解した際の各構成要素に相当し、
該複数の隠図形が前記回動体上に分散して配置されており、
前記回動体の回転中に前記ストロボ光を照射されると、該複数の隠図形によって前記１つのまとまりのある画像を再生する
ことを特徴とする遊技機の表示装置。
【発明の詳細な説明】
【０００１】
【発明の属する技術分野】
本発明は、パチンコ機等の弾球遊技機やスロットマシン等の回胴式遊技機に装備される、遊技機の表示装置に関する。
【０００２】
【従来の技術】
スロットマシンでは、複数の図柄が描かれたドラムやベルト等の回動体を複数、例えば３つ程度並べて一つの表示装置としたものを使用して、例えば横一列や斜め一列に同じ図柄が２つとか３つ揃うと、その図柄の種類や揃った図柄の数に応じて点数が与えられたりコイン状の金属片が払出されていた。
【０００３】
また、パチンコ機等では、同様の構成の表示装置を当たり外れの表示に使用し、例えば同じ図柄が３つ並んで当たりが表示されると遊技状態を例えば遊技者に有利な状態に変化させるものがある。
従来、こうした表示装置では、表示動作の開始と共に各回動体を高速回転させ、徐々に減速させてから、回動体を１つずつ停止させてゆき、全部の回動体が停止したところで当たり外れを表示するのが普通であった。
【０００４】
例えば３つの回動体を使用し同じ図柄が一列に３つ並べば当たりとなるとして、２つの回動体が停止したときに一列に同じ図柄が２つあれば、最後に停止する回動体の図柄次第で当たり外れがきまるわけで、俗にこの状態をリーチと呼んでいる。そして、リーチの時には、遊技者の気を引こうとして、最後の回動体の回転速度をことさら遅くしたり、いきなり高速回転させたり、あるいは逆回転させたりといった、いわゆるリーチアクションが行われていた。
【０００５】
【発明が解決しようとする課題】
このリーチアクションは、多種多様ではあるが、いずれも最後の回動体の回転速度または回転方向の変化にすぎず、その意味ではマンネリ化していたと言える。
【０００６】
本発明は、新規な形態のリーチアクションにより遊技者を楽しませることが可能な、遊技機の表示装置を提供することを目的としている。
【０００７】
【課題を解決するための手段および発明の効果】
上記課題を解決するための請求項１記載の遊技機の表示装置は、定められた軌道に沿って回動する回動体と、該回動体を回動させる駆動機構と、該駆動機構を制御することにより前記回動体を回動および停止させる駆動制御手段とを備え、前記回動体に設けられた画像を表示する遊技機の表示装置において、
前記回動体にストロボ光を照射するストロボ光源と、該回動体に設けられて該ストロボ光の照射によって明瞭に視認される隠図形と、前記隠図形が前記軌道上の設定された位置になるのに同期させて前記ストロボ光源を発光させる発光制御手段とを具備し、
前記隠図形は１つのまとまりのある画像を複数の構成要素に分解した際の各構成要素に相
当し、該複数の隠図形が前記回動体上に分散して配置されており、前記回動体の回転中に前記ストロボ光を照射されると、該複数の隠図形によって前記１つのまとまりのある画像を再生する
ことを特徴とする。
【０００８】
この遊技機の表示装置に使用する回動体には、従来の回動体と同様の当たり外れを表示するための表示用図柄が例えば印刷される。さらに、この回動体の一部、例えば表示用図柄が描かれていない部分や外れを表示する表示用図柄が描かれている部分に、隠図形が設けられる。隠図形は、例えば光を透過させる部分（透光部）と遮る部分（遮光部）との組合せ、光を反射しやすい部分（反射部）と反射しにくい部分（吸収部）との組合せ、あるいは透光部、遮光部、反射部、吸収部から適宜選択されるものの組合せ等によって形成される。これら透光部、遮光部、反射部あるいは吸収部を、例えば色や明暗を同じにするかわずかに差がある程度にしておけば、隠図形は、通常の照明下では明瞭に視認されない。
【０００９】
ストロボ光源は、隠図形の構造（例えば透光部と遮光部の組合せ、反射部と吸収部の組合せ）に応じて、回動体の内側、外側あるいは内外両方に配置される。例えば隠図形を透光部と遮光部の組合せで形成し、ストロボ光源を回動体の内側に配置したとして、隠図形が軌道上の設定された位置（例えば遊技者にほぼ対面する位置）になるのに同期させてストロボ光源を発光させると、そのストロボ光が隠図形の透光部を通過し、遮光部にて遮られることにより、隠図形が明瞭に視認される。つまり、隠図形が顕在化する。この、ストロボ光の照射を特別な場合だけ、例えば当たりが表示される可能性が極めて高いリーチ（俗に言うスーパーリーチ）のときに限って行う等により、従来の回動体を使用する表示装置では実現できなかった、特殊な形態のリーチアクションで遊技者を楽しませることができる。
【００１０】
例えば一つの隠図形または同形状の隠図形が、設定された位置に来る毎にストロボ光を照射して、同じ形状のものを静的に表示してもよいが、前記隠図形は１つのまとまりのある画像を複数の構成要素に分解した際の各構成要素に相当し、該複数の隠図形が前記回動体上に分散して配置されており、前記回動体の回転中に前記ストロボ光を照射されると、該複数の隠図形によって前記１つのまとまりのある画像を再生するように構成するのが好ましい。
【００１１】
このように構成すると、例えば複数の隠図形の残像の重なりによって１つの画像、例えば人物、動物、特別な文字等を再生することができる。
また、複数の隠図形を、例えば一連の動きの分解写真のように少しずつ変化させておくことで、一連の動きを再生表示することもできる。
【００１２】
【発明の実施の形態】
次に、本発明の実施例を図面を参照して説明することにより、発明の実施の形態を具体的に説明する。
【００１３】
【実施例】
詳しくは後述するが、本実施例の遊技機の表示装置（以下、単に表示装置という）１０は、３つの表示ユニット２０から構成されているので、表示ユニット２０の構造から説明する。
【００１４】
図１に示すように、表示ユニット２０は、表示ユニット２０の各部を支持するための支持基板２２を備えている。本実施例では、駆動機構は、支持基板２２に取り付けられたステッピングモータ２４、このステッピングモータ２４によって回転駆動される駆動ローラ２６、軸方向を駆動ローラ２６とほぼ平行させて支持基板２２に取り付けられている従動ローラ２８、支持基板２２に立設された揺動軸３０を中心にして揺動自在で、図示しないばねの働きによって図において反時計回りとなる方向に付勢されているテンションローラ３２等から構成されている。これら駆動ローラ２６、従動ローラ２８およびテンションローラ３２には、本発明の回動体に該当する無端の表示ベルト４０が卷回されている。表示ベルト４０は、テンションローラ３２の働きによってゆるみなく張られており、ステッピングモータ２４を稼働させることにより表示ベルト４０を回動させることができる。なお、表示ベルト４０の地の色は透光性の白色であり、この地の部分は光を通過させる。
【００１５】
図２に示すように、表示ベルト４０の表面には、例えばＡ、７、３、ＪＰ等の当たり図柄４２が印刷されており、当たり図柄４２と当たり図柄４２との間には、ほぼ当たり図柄４２の１個分に相当する空白域４３が設けられている。一方、表示ベルト４０の裏面には、空白域４３に該当する場所に、隠図形４４が印刷されている。この隠図形４４は、本実施例の場合、図３に示される「Ｖ」字を横方向に沿って分断した短冊状の部分４５に相当するスリット部４６が、適宜の間隔をおいて設けられている。これらのスリット部４６は透光性で、その周囲４７は遮光性のインクで印刷されており光を透過させない。各スリット部４６の隠図形４４内での位置はそれぞれ異なり、表示ベルト４０の全部の隠図形４４のスリット部４６を重ねたなら、図３に示される「Ｖ」字が復元される関係になっている。
【００１６】
また、表示ベルト４０の裏面の一方の縁部には、各当たり図柄４２および隠図形４４に対応して、遮光性インクの通過マーク４８が印刷されている。ただし、１カ所だけ（図示の例ではＡに対応する通過マークだけ）は、他の通過マーク４８のほぼ２倍の長さの基準マーク４９となっている。
【００１７】
図１に示すように、表示ベルト４０の内側には、コーン型の反射器３４に収容されてストロボ管３６が設置されている。また、従動ローラ２８付近には、それぞれが発光部と受光部とからなる光センサ３８、３９が設置されている。これら光センサ３８、３９は、表示ベルト４０の通過マーク４８および基準マーク４９の通過を検出するためのものであり、光センサ３８、３９の検出中心間の距離は、基準マーク４９の長さよりも短く、基準マーク４９が通過するときには両光センサ３８、３９が同時にこれを検出することになる。
【００１８】
なお、本実施例においては、光センサ３９が通過マーク４８または基準マーク４９を検出した際には、その次の通過マーク４８に対応する当たり図柄４２または空白域４３が、反射器３４（すなわちストロボ管３６）の正面に位置する設定である。図２を参照して詳述すると、基準マーク４９が光センサ３８、３９によって同時に検出されたときには、光センサ３９から反射器３４の上端付近にかけて当たり図柄４２のＡが位置し、反射器３４の正面には、Ａの下の空白域４３が位置するような設定である。
【００１９】
また、図示は省略するが、支持基板２２の一部はプリント基板となっており、ステッピングモータ２４に電力を供給するためのモータ駆動回路５０、ストロボ管３６を点滅させるためのストロボ駆動回路５２、光センサ３８、３９からの信号を導くための信号経路等が組み付けられている。
【００２０】
この表示ユニット２０は、図４および図５に示されるように３つ並列され、各表示ユニット２０の動作を制御するための表示制御装置６０と接続され、さらに図５に示すように、支持基板２２等を覆い隠すための枠飾り１２を装着されて、表示装置１０として例えばパチンコ機１４の遊技盤１６に取り付けて使用される。
【００２１】
この表示装置１０の制御系は、図６に示すような構成となっている。
各表示ユニット２０毎に、ステッピングモータ２４はモータ駆動回路５０に接続され、モータ駆動回路５０は、表示装置１０の各部の制御を司り、本発明の駆動制御手段および発光制御手段として機能する表示制御装置６０に接続されている。同様に、ストロボ管３６は、ストロボ駆動回路５２に接続され、ストロボ駆動回路５２は表示制御装置６０に接続されている。また、光センサ３８、３９も表示制御装置６０に接続されている。
【００２２】
表示制御装置６０は、周知のＣＰＵ、ＲＯＭ、ＲＡＭ、入出力ポート等を備えるマイクロコンピュータとして構成されており、モータ駆動回路５０の動作を制御することによりステッピングモータ２４の稼働（回転量を含む）および停止を制御できる。また、表示制御装置６０は、光センサ３８、３９からの信号レベルの変化に基づいて、表示ベルト４０の通過マーク４８および基準マーク４９が光センサ３８、３９を通過したことを認識できる。
【００２３】
そして、表示制御装置６０は、ストロボ駆動回路５２を介してストロボ管３６の点滅を制御できる。ストロボ管３６およびストロボ駆動回路５２は、図７に示されるような構成であり、グリッドＧ1 に負のトリガパルスを入力するとグリッドＧ1 とグリッドＧ2 との間でグロー放電がおこり、それによってストロボ管３６の陽極と陰極間に主アーク放電が発生し、閃光を発する。表示制御装置６０は、このグリッドＧ1 へのトリガパルスの入力を制御することによって、ストロボ管３６の点滅を制御するのである。
【００２４】
なお、表示制御装置６０は、パチンコ機１４の遊技盤１６に設置されている入賞装置等の動作を制御するための遊技制御装置７０に接続されており、遊技制御装置７０から指令された当たり図柄４２を遊技制御装置７０から指令された位置に停止させるべく、各ステッピングモータ２４の稼働と停止を制御する。また、遊技制御装置７０からスーパーリーチを指令されると、表示ベルト４０の回動に合わせてストロボ管３６を点滅させることにより、図４に示されるように、「Ｖ」字を表示させる。次に、この表示制御装置６０が実行する処理について、そのフローチャートを参照して説明する。
【００２５】
図８に示すように、表示制御装置６０は、遊技制御装置７０からの表示の指示を待っていて（ステップ２０１、以下ステップをＳと略記する）、その指示があると（Ｓ２０１：ＹＥＳ）、３つの表示ユニット２０のステッピングモータ２４を高速回転させることにより各表示ベルト４０を高速回転させる（Ｓ２０２）。
【００２６】
続いて表示制御装置６０は、各表示ユニット２０のストロボ管３６を点滅させる（Ｓ２０３）。詳しくは、図９に示すように、表示制御装置６０は、光センサ３８、３９の信号に基づいて基準マーク４９の通過を知ったなら（Ｓ２２１）、それを基準として通過マーク４８または基準マーク４９の通過を検出する毎に、反射器３４（すなわちストロボ管３６）の正面に空白域４３が位置したか否かを判断し（Ｓ２２２）、反射器３４の正面に空白域４３が位置したと判断したなら（Ｓ２２２：ＹＥＳ）、ストロボ管３６のグリッドＧ1 にトリガパルスを入力させてストロボ管３６を発光させる（Ｓ２２３）。そして、例えばストロボ管３６の発光回数が設定回数に達したか、あるいは初回の発光から設定時間が経過したかして発光を終了させると判断したなら（Ｓ２２４：ＹＥＳ）、ストロボ点滅処理を終了してメインルーチンにリターンする。なお、このストロボ点滅処理は各表示ユニット２０について並行的に行われる。これにより、各表示ベルト４０の高速回転中に、各表示ベルト４０の空白域４３がストロボ管３６の正面に位置する毎にストロボ発光が行われるので、遊技者には、各隠図形４４の残像の合成像として、図４に示されるような「Ｖ」字の映像が認識される。
【００２７】
次に、表示制御装置６０は、３つの表示ユニット２０中の２つについて、それぞれ遊技制御装置７０から指示された当たり図柄４２または空白域４３が反射器３４の正面に位置するように、表示ベルト４０を停止させる（Ｓ２０４）。詳しくは、図１０に示すように、光センサ３８、３９の信号に基づいて基準マーク４９と通過マーク４８の通過を監視して、遊技制御装置７０から指示された当たり図柄４２または空白域４３が減速開始位置（例えば停止予定の１周前とか１．５周前）に来たか否かを判断し（Ｓ３０１）、減速開始位置に来ていたら（Ｓ３０１：ＹＥＳ）、ステッピングモータ２４の回転速度を、例えば表示ベルト４０が一回転とか一回転半とかして、目的の当たり図柄４２あるいは空白域４３がちょうど反射器３４の正面に来たときに回転速度が０になるような比率で、徐々に減速させる（Ｓ３０２）。そして、遊技制御装置７０から指示された当たり図柄４２または空白域４３が反射器３４の正面に来たことが検出されたなら（Ｓ３０３：ＹＥＳ）、ステッピングモータ２４を停止させることによって表示ベルト４０を停止させる（Ｓ３０４）。表示制御装置６０は、この停止処理を２つの表示ユニット２０について並行的に実行することにより、遊技制御装置７０から指示された当たり図柄４２または空白域４３が反射器３４の正面に位置するように、それらの表示ユニット２０の表示ベルト４０を停止させるのである。
【００２８】
図８に戻り、表示制御装置６０は、２つの表示ユニット２０の表示ベルト４０を停止させてから、遊技制御装置７０からスーパーリーチの指示を受けているか否かを判断する（Ｓ２０５）。もし、スーパーリーチの指示があれば（Ｓ２０５：ＹＥＳ）、表示制御装置６０は、まだ回転中の表示ユニット２０について、上述と同様のストロボ点滅処理（図９参照）を実行し（Ｓ２０６）、その表示ユニット２０だけに「Ｖ」字の映像を表示させる。なお、このスーパーリーチは、当たりの可能性がきわめて高いことを遊技者に知らしめるもので、例えば９０％以上の確率で当たりの表示となる。
【００２９】
表示制御装置６０は、スーパーリーチのためのストロボ点滅に続いて、あるいはスーパーリーチのためのストロボ点滅を行わずに（Ｓ２０５：ＮＯ）、前述の２つの表示ユニット２０におけると同様に、最後の表示ユニット２０について停止処理（図１０参照）を実行して、最後の表示ベルト４０を停止させる。この表示ベルト４０の停止により全部の表示ベルト４０が停止し、例えば同じ当たり図柄４２が一直線上に３つ並んだ当たり表示（例えば７７７）、またはそのような配置にならない外れ表示が確定する。
このように、本実施例の表示装置１０によれば、従来の回動体を使用する表示装置では実現できなかった、特殊な表示が可能になり、例えば特別なリーチアクションで遊技者を楽しませることができる。
【００３０】
以上、実施例に従って、本発明の実施の形態について説明したが、本発明はこのような実施例に限定されるものではなく、本発明の要旨を逸脱しない範囲でさまざまに実施できることは言うまでもない。
例えば、実施例では遊技機としてパチンコ機を例に挙げたが、遊技機がスロットマシン等の回胴式遊技機であってもよい。回動体は、ベルトに限らずドラムを使用することもできる。
【００３１】
また、ストロボ光源は、回動体の内側に配置する必要はなく、外側に配置してもよいし、内外両方に配置してもよい。
【図面の簡単な説明】
【図１】  実施例の遊技機の表示装置の表示ユニットの構造の説明図である。
【図２】  実施例の遊技機の表示装置の表示ベルトの説明図であり、図２（ａ）は表面の説明図、図２（ｂ）は裏面の説明図である。
【図３】  実施例の遊技機の表示装置の表示ベルトの裏面に設けられている隠図形の元になった「Ｖ」字の説明図である。
【図４】  実施例の遊技機の表示装置の正面側の構造の説明図である。
【図５】  実施例の遊技機の表示装置をパチンコ機に取り付けた状態の説明図である。
【図６】  実施例の遊技機の表示装置の制御系を説明するブロック図である。
【図７】  実施例の遊技機の表示装置のストロボ駆動回路の説明図である。
【図８】  実施例の遊技機の表示装置の表示制御装置が実行する図柄表示処理のフローチャートである。
【図９】  実施例の遊技機の表示装置の表示制御装置が実行するストロボ点滅処理のフローチャートである。
【図１０】  実施例の遊技機の表示装置の表示制御装置が実行する停止処理のフローチャートである。
【符号の説明】
１０…遊技機の表示装置、１４…パチンコ機（遊技機）、１６…遊技盤、２０…表示ユニット、２２…支持基板、２４…ステッピングモータ（駆動機構）、２６…駆動ローラ（駆動機構）、２８…従動ローラ（駆動機構）、３０…揺動軸（駆動機構）、３２…テンションローラ（駆動機構）、３４…反射器、３６…ストロボ管（ストロボ光源）、３８…光センサ、３９…光センサ、４０…表示ベルト（回動体）、４２…当たり図柄、４３…空白域、４４…隠図形、４６…スリット部（隠図形）、４８…通過マーク、４９…基準マーク、５０…モータ駆動回路、５２…ストロボ駆動回路、６０…表示制御装置（駆動制御手段、発光制御手段）、７０…遊技制御装置。
【図１】
0004070262.tif 000002
【図２】
0004070262.tif 000003
【図３】
0004070262.tif 000004
【図４】
0004070262.tif 000005
【図５】
0004070262.tif 000006
【図６】
0004070262.tif 000007
【図７】
0004070262.tif 000008
【図８】
0004070262.tif 000009
【図９】
0004070262.tif 000010
【図１０】
0004070262.tif 000011